(57)【要約】【課題】効率的のよい商品やサービス等に付与されるポイント情報を管理するポイント管理システムの提供。【解決手段】ポイント情報を有する２次元コードと、ポイント情報を送信する携帯端末と、ポイント情報を管理する管理サーバと、２次元コードの提供者サーバを有し、管理サーバが、２次元コードからデコードされたポイント情報を受信する２次元コード情報受信手段と、ポイント情報を所定の規則に従って処理を行うポイント処理手段と、ポイント情報を保存するポイント保存手段と、商品やサービス等を表示する交換可能表示手段と、商品やサービスの交換を指定する指定情報に従ってポイント情報保存手段に保存されるポイント情報を処理する指定処理手段と、提供者サーバからの要求に応じてポイント情報保存手段に於いて保存される情報を処理する提供者要求処理手段とを具備することを特徴とする。【選択図】  図２
2004362273.tif 000002
【特許請求の範囲】
【請求項１】
商品やサービス等に付与されるポイント情報を管理するポイント管理システムであって、商品やサービスに対して付与されるポイント情報が格納されている２次元コードと、該２次元コードに格納されるポイント情報を送信する携帯端末と、該携帯端末から送信されるポイント情報を受信し管理する管理サーバと、前記２次元コードを提供する提供者が有する提供者サーバと、前記携帯端末と該管理サーバと該提供者サーバを接続する通信ネットワークから構成され、
前記管理サーバが、
前記携帯端末に対して、
前記携帯端末から送信される２次元コードからデコードされたポイント情報を受信する２次元コード情報受信手段と、
前記２次元コード情報受信手段に於いて受信されたポイント情報を所定の規則に従って処理を行うポイント処理手段と、
前記ポイント処理手段に於いて処理されたポイント情報を保存するポイント保存手段と、
前記ポイント保存手段に保存されるポイント情報に従ってポイント交換を行うことが可能な商品やサービス等を表示する交換可能表示手段と、
前記携帯端末の使用者が該携帯端末から送信する前記交換可能表示手段に於ける商品やサービス等の中から所望する商品やサービスを選択しポイントとの交換を指定する指定情報を受信する指定情報受信手段と、
前記指定情報受信手段に於いて受信された指定情報に従って前記ポイント情報保存手段に保存されるポイント情報を処理する指定処理手段を有する一方で、
前記提供者サーバに対して、
前記提供者サーバからの要求を受信する提供者要求受信手段と、
前記提供者サーバからの要求に応じて前記ポイント情報保存手段に於いて保存される情報を処理する提供者要求処理手段と、
を具備することを特徴とする２次元コードを利用したポイント管理システム。
【請求項２】
前記ポイント保存手段に於けるポイント情報を保存する方法は、前記ポイント処理手段で処理されたポイント情報を各項目毎に保存する方法であることを特徴とする請求項１記載の２次元コードを利用したポイント管理システム。
【請求項３】
前記管理サーバは、前記ポイント処理手段に於いて処理された情報を判定し、所定条件を満たす情報を送信した前記携帯端末へ特定情報を送信する判定送信手段を有することを特徴とする請求項１又は２記載の２次元コードを利用したポイント管理システム。
【請求項４】
前記管理サーバは、該管理サーバが受信した２次元コードの情報の使用可否を判定する適応判定手段を有していることを特徴とする請求項１乃至３いずれかに記載の２次元コードを利用したポイント管理システム。
【請求項５】
前記管理サーバは、前記管理サーバが受信した２次元コードの情報を再度受信した際に、再度受信した情報を無効にする正誤判定手段を有していることを特徴とする請求項１乃至４いずれかに記載の２次元コードを利用したポイント管理システム。
【請求項６】
前記２次元コードが保存する情報は、該２次元コードを提供する提供者を識別することを可能にする識別番号と、該２次元コードが付与されている商品やサービスを識別する商品番号と、前記正誤判定手段に於いて使用される認証番号と、該商品やサービスに対するポイント情報を有することを特徴とする請求項１乃至５いずれかに記載の２次元コードを利用したポイント管理システム。
【請求項７】
前記携帯端末がカメラ付き携帯電話器であることを特徴とする請求項１乃至６いずれかに記載の２次元コードを利用したポイント管理システム。
【請求項８】
前記管理サーバは、前記携帯端末の該管理サーバへアクセスすることによって、前記携帯端末から２次元コードからデコードされた情報を送信することを可能にする送信手段が送信されることを特徴とする請求項１乃至３いずれかに記載の２次元コードを利用したポイント管理システム。
【請求項９】
商品やサービス等に付与されるポイント情報を管理するポイント管理システムであって、商品やサービスに対して付与されるポイント情報が格納されている２次元コードと、該２次元コードに格納されるポイント情報を送信する携帯端末と、該携帯端末から送信されるポイント情報を受信し管理する管理サーバと、前記２次元コードを提供する提供者が有する提供者サーバと、前記携帯端末と該管理サーバと該提供者サーバを接続する通信ネットワークから構成され、
前記管理サーバが、
前記携帯端末に対して、
前記携帯端末から送信される２次元コードからデコードされたポイント情報を受信する２次元コード情報受信手段と、
前記２次元コード情報受信手段に於いて受信されたポイント情報を所定の規則に従って処理を行うポイント処理手段と、
前記ポイント処理手段に於いて処理されたポイント情報を保存するポイント保存手段と、
前記ポイント保存手段に保存されるポイント情報に従ってポイント交換を行うことが可能な商品やサービス等を表示する交換可能表示手段と、
前記携帯端末の使用者が該携帯端末から送信する前記交換可能表示手段に於ける商品やサービス等の中から所望する商品やサービスを選択しポイントとの交換を指定する指定情報を受信する指定情報受信手段と、
前記指定情報受信手段に於いて受信された指定情報に従って前記ポイント情報保存手段に保存されるポイント情報を処理する指定処理手段を有する一方で、
前記提供者サーバに対して、
前記提供者サーバからの要求を受信する提供者要求受信手段と、
前記提供者サーバからの要求に応じて前記ポイント情報保存手段に於いて保存される情報を処理する提供者要求処理手段と、
を具備することを特徴とする２次元コードを利用したポイント管理システムのサーバ。
【発明の詳細な説明】
【０００１】
【発明の属する技術分野】
本発明は、２次元コードを利用したポイント管理システム及びこのポイント管理システムで使用されるサーバに関し、より詳しくは、２次元コードに商品やサービス等のポイント情報を格納させることによって、商品購入者が多種多様なポイントサービスを利用することができると共に、２次元コード提供者は容易に２次元コードが付与された商品やサービス等の販売状況等の情報を容易に管理することができるポイント管理システム及びこのこのポイント管理システムで使用されるサーバに関する。
【０００２】
【従来の技術】
従来、商品やサービス等に付与されるポイント等は、その商品やサービスが提供される小売販売店が独自に決めたポイント制度を基にして顧客にポイントが付与されてきた。
そのため、小売販売店はポイント制度を利用して顧客の情報を収集することができるが、製造業者は商品に関する顧客の情報を収集できないという問題点があった。
又、ポイントを収集する顧客は、小売販売店毎によってポイント制度が異なっているため、小売販売店毎のポイント制度を利用しようとしても、ポイント数を貯めるために長い期間を必要としていたり、収集したポイントが不足してそのまま無効になったり、ポイントを収集しても使用する期間を過ぎていたりして十分ポイント制度を利用することができない問題点を有していた。
そのため、一社が提供するポイントサービスで入手したポイントを他社の提供するポイントサービスで利用する発明が創出されている（例えば、特許文献１参照。）。
しかしながら、上記した発明では、顧客がポイントを効率良く収集できても、製造業者が顧客の情報を収集することはできない問題点を有していた。
【０００３】
【特許文献１】
特開２００３−１０９１１５号公報
【０００４】
【発明が解決しようとする課題】
本発明は、このような実情に鑑みてなされたもので、２次元コードに商品やサービス等のポイント情報を格納させることによって、商品購入者は日常よく使用する携帯端末を使用して容易に商品やサービス等のポイントを貯蓄することができると共に多種多様なポイントサービスを利用することができ、又２次元コード提供者は２次元コードが付与された商品やサービス等の販売状況等の情報を容易に管理することができると共に販売促進の方法として利用することができるポイント管理システム及びこのポイント管理システムで使用されるサーバを提供する。
【０００５】
【課題を解決するための手段】
請求項１記載の発明は、商品やサービス等に付与されるポイント情報を管理するポイント管理システムであって、商品やサービスに対して付与されるポイント情報が格納されている２次元コードと、該２次元コードに格納されるポイント情報を送信する携帯端末と、該携帯端末から送信されるポイント情報を受信し管理する管理サーバと、前記２次元コードを提供する提供者が有する提供者サーバと、前記携帯端末と該管理サーバと該提供者サーバを接続する通信ネットワークから構成され、前記管理サーバが、前記携帯端末に対して、前記携帯端末から送信される２次元コードからデコードされたポイント情報を受信する２次元コード情報受信手段と、前記２次元コード情報受信手段に於いて受信されたポイント情報を所定の規則に従って処理を行うポイント処理手段と、前記ポイント処理手段に於いて処理されたポイント情報を保存するポイント保存手段と、前記ポイント保存手段に保存されるポイント情報に従ってポイント交換を行うことが可能な商品やサービス等を表示する交換可能表示手段と、前記携帯端末の使用者が該携帯端末から送信する前記交換可能表示手段に於ける商品やサービス等の中から所望する商品やサービスを選択しポイントとの交換を指定する指定情報を受信する指定情報受信手段と、前記指定情報受信手段に於いて受信された指定情報に従って前記ポイント情報保存手段に保存されるポイント情報を処理する指定処理手段を有する一方で、前記提供者サーバに対して、前記提供者サーバからの要求を受信する提供者要求受信手段と、前記提供者サーバからの要求に応じて前記ポイント情報保存手段に於いて保存される情報を処理する提供者要求処理手段とを具備することを特徴とする２次元コードを利用したポイント管理システムを提供する。
請求項２記載の発明は、前記ポイント保存手段に於けるポイント情報を保存する方法は、前記ポイント処理手段で処理されたポイント情報を各項目毎に保存する方法であることを特徴とする請求項１記載の２次元コードを利用したポイント管理システムを提供する。
請求項３記載の発明は、前記管理サーバは、前記ポイント処理手段に於いて処理された情報を判定し、所定条件を満たす情報を送信した前記携帯端末へ特定情報を送信する判定送信手段を有することを特徴とする請求項１又は２記載の２次元コードを利用したポイント管理システムを提供する。
請求項４記載の発明は、前記管理サーバは、該管理サーバが受信した２次元コードの情報の使用可否を判定する適応判定手段を有していることを特徴とする請求項１乃至３いずれかに記載の２次元コードを利用したポイント管理システムを提供する。
請求項５記載の発明は、前記管理サーバは、前記管理サーバが受信した２次元コードの情報を再度受信した際に、再度受信した情報を無効にする正誤判定手段を有していることを特徴とする請求項１乃至４いずれかに記載の２次元コードを利用したポイント管理システムを提供する。
請求項６記載の発明は、前記２次元コードが保存する情報は、該２次元コードを提供する提供者を識別することを可能にする識別番号と、該２次元コードが付与されている商品やサービスを識別する商品番号と、前記正誤判定手段に於いて使用される認証番号と、該商品やサービスに対するポイント情報を有することを特徴とする請求項１乃至５いずれかに記載の２次元コードを利用したポイント管理システムを提供する。
請求項７記載の発明は、前記携帯端末がカメラ付き携帯電話器であることを特徴とする請求項１乃至６いずれかに記載の２次元コードを利用したポイント管理システムを提供する。
請求項８記載の発明は、前記管理サーバは、前記携帯端末の該管理サーバへアクセスすることによって、前記携帯端末から２次元コードからデコードされた情報を送信することを可能にする送信手段が送信されることを特徴とする請求項１乃至３いずれかに記載の２次元コードを利用したポイント管理システムを提供する。
請求項９記載の発明は、商品やサービス等に付与されるポイント情報を管理するポイント管理システムであって、商品やサービスに対して付与されるポイント情報が格納されている２次元コードと、該２次元コードに格納されるポイント情報を送信する携帯端末と、該携帯端末から送信されるポイント情報を受信し管理する管理サーバと、前記２次元コードを提供する提供者が有する提供者サーバと、前記携帯端末と該管理サーバと該提供者サーバを接続する通信ネットワークから構成され、前記管理サーバが、前記携帯端末に対して、前記携帯端末から送信される２次元コードからデコードされたポイント情報を受信する２次元コード情報受信手段と、前記２次元コード情報受信手段に於いて受信されたポイント情報を所定の規則に従って処理を行うポイント処理手段と、前記ポイント処理手段に於いて処理されたポイント情報を保存するポイント保存手段と、前記ポイント保存手段に保存されるポイント情報に従ってポイント交換を行うことが可能な商品やサービス等を表示する交換可能表示手段と、前記携帯端末の使用者が該携帯端末から送信する前記交換可能表示手段に於ける商品やサービス等の中から所望する商品やサービスを選択しポイントとの交換を指定する指定情報を受信する指定情報受信手段と、前記指定情報受信手段に於いて受信された指定情報に従って前記ポイント情報保存手段に保存されるポイント情報を処理する指定処理手段を有する一方で、前記提供者サーバに対して、前記提供者サーバからの要求を受信する提供者要求受信手段と、前記提供者サーバからの要求に応じて前記ポイント情報保存手段に於いて保存される情報を処理する提供者要求処理手段とを具備することを特徴とする２次元コードを利用したポイント管理システムのサーバを提供する。
【０００６】
【発明の実施の形態】
本発明の実施の形態を図面を参照しつつ説明する。
本発明に係るポイント管理システム（１）は、２次元コード（２）と、携帯端末（３）と、管理サーバ（４）と、提供者サーバ（５）と、通信ネットワーク（６）から構成される。
図１は、本発明に係る概略構成図を示し、図２は、本発明に係るシステム図を示す。
尚、本明細書中に書かれた「ポイント情報」という文言は、商品やサービス等に付与されるポイントやポイントを付与するための情報、又はポイントを付与するに当って、特定の期間内なら２倍のポイントを付与したり、ある商品のポイントを既に取得済みの場合は１．５倍のポイントに換算したり、特別な懸賞に参加することができたりする所定の条件を満たすことで特別のポイントが付与される情報等を含む。
本明細書中に書かれた「要求」という文言は、管理サーバ（２）に於いて保存された情報のデータを検索、選別、閲覧するような情報を操作することを指し示す。
【０００７】
２次元コード（２）は、商品やサービスに対して付与されるポイントを保存する手段である。
ポイントは、２次元コード（２）が付与された商品又はサービス等に付加されるポイントであり、提供者によって任意に決定される。
２次元コード（２）が保存するポイント情報以外の情報は、特に限定されないが、２次元コード（２）を提供する提供者を識別することを可能にする識別番号と、２次元コード（２）が付与されている商品又はサービス等を識別する商品番号と、後述する適応判定手段（４ａ）に於いて利用される適応番号と、後述する正誤判定手段（４ｂ）に於いて使用される認証番号の情報を有している。
識別番号は、２次元コード（２）がデコードされた後、管理サーバ（４）が２次元コード（２）を付与された提供者を識別することができる番号や文字列であれば構わない。
商品番号は、２次元コード（２）がデコードされた後、管理サーバ（４）が２次元コード（２）を付与された商品又はサービス等を識別することができる番号や文字列であれば構わない。
適応番号は、適応判定手段（４ａ）に於いてポイント管理システム（１）で使用の可否を判別することのできる番号や文字列であれば構わない。
認証番号は、正誤判定手段（４ｂ）に於いて再度のアクセスを禁止することができる番号や文字列であれば構わない。
尚、適応番号や認証番号は、商品に対して、唯一の番号や文字列を付加させることによって利用する方法でも構わない。
この２次元コード（２）として使用される物は、特に限定されないが、一般的に普及しているＱＲコードを使用することが好ましい。
【０００８】
この２次元コード（２）が商品やサービスに付与される方法は、特に限定されないが、２次元コード（２）の提供者が製造する商品の包装に２次元コード（２）の印刷等を行ったり、サービス提供時に領収書又はレシート等に２次元コード（２）を印刷したりして使用者に提供すればよい。
尚、飲食店等でこのポイント管理システム（１）を利用する際には、顧客が料理等のサービスを受ける際に、各伝票に２次元コード（２）を提供することで、顧客はポイント管理システム（１）を時間を無駄に使うことなく利用でき、又、他人に譲渡される心配もない。
【０００９】
携帯端末（３）は、２次元コード（２）を読み込んでデコードする手段と、後述する管理サーバ（４）と送受信を可能にする手段を有する装置である。
この携帯端末（３）が有する２次元コード（２）を読み込んでデコードする手段は、管理サーバ（４）に保存されるソフトウェア等のアプリケーションに保存され、このアプリケーションをダウンロードし、携帯端末（３）で実行することで、２次元コード（２）を読み込みデコードすることができるように設定されても構わない。
２次元コード（２）を読み込んでデコードする手段が管理サーバ（４）で保存されていることによって、管理サーバ（２）と送受信することができる機能を有する装置であれば、どのような携帯端末であっても、アプリケーションをダウンロードすることによって、本発明を利用することができるからである。
この携帯端末（３）は、上記した構成を有していれば、特に限定されないが、カメラ付き携帯電話器であることが好ましい。
カメラ付き携帯電話器を利用することで、特別な装置を必要とすることなく容易に利用することができるからである。
また、携帯端末（３）は、カメラ付き携帯電話器に限定されず、ＰＤＡ（Ｐｅｒｓｏｎａｌ  Ｄｉｇｉｔａｌ  Ａｓｓｉｓｔａｎｔ）のような携帯可能なデータを送受信可能な携帯端末（３）でもよい。
この場合、２次元コード（２）を読み込むことのできる機能（例えば、カメラ機能やスキャナ機能）を有していれば構わない。
【００１０】
管理サーバ（４）は、携帯電話（３）及び後述する提供者サーバ（５）との情報の送受信を行うことができる装置である。
図３は、本発明に係る管理サーバと携帯端末に関するブロック線図を示す。
管理サーバ（４）は、携帯端末（４）に対して、２次元コード情報受信手段（４Ａ）と、ポイント処理手段（４Ｂ）と、ポイント保存手段（４Ｃ）と、携帯端末要求受信手段（４Ｄ）と、携帯端末要求処理手段（４Ｅ）と、公開手段（４Ｆ）と、交換可能表示手段（４Ｎ）と、指定情報受信手段（４Ｇ）と、指定処理手段（４Ｈ）と、指定受理送信手段（４Ｉ）を有している。
【００１１】
２次元コード情報受信手段（４Ａ）は、携帯端末（３）から送信される２次元コード（２）からデコードされたポイント等の情報を受信する手段である。
この２次元コード情報受信手段（４Ａ）は、適応判定手段（４ａ）及び正誤判定手段（４ｂ）を具備することが好ましい。
適応判定手段（４ａ）は、２次元コード情報受信手段（４Ａ）に於いて受信した２次元コード（２）の情報が本発明のポイント管理システム（１）に於いて使用可否を判定する手段である。
この適応判定手段（４ａ）の２次元コード（２）の情報を受信し使用の可否を判定する方法は、特に限定されないが、２次元コード（２）に上記した適応番号を設けることによって、この適用番号を識別することでこのポイント管理システム（１）での使用可否を判定すればよい。
尚、判定した結果、適応不可と判定された２次元コード（２）の情報を送信した携帯端末（３）へ２次元コードの情報がこのポイント管理システム（１）に適応不可である旨を返送するように設定してもよい。
この適応判定手段（４ｂ）を設けることによって、このポイント管理システム（１）でのみ使用することのできる２次元コード（２）を判別することが可能となる。
【００１２】
正誤判定手段（４ｂ）は、管理サーバ（４）が受信した２次元コード（２）の情報を再度受信した際に、再度受信した情報を無効にする手段である。
この正誤判定手段（４ｂ）によって、２次元コード（２）をデコードして携帯端末（３）から送信する際に、一度利用した２次元コード（２）は再度利用することを防止することができる。
この正誤判定手段（４ｂ）の２次元コード（２）を判定する方法は、特に限定されないが、後述する２次元コード（２）に格納される情報に２次元コード（２）毎に認証番号を付与することが好ましい。
２次元コード（２）毎に認証番号が付与されることによって、管理サーバ（４）に一度２次元コード（２）の情報が送信されると、この２次元コード（２）の認証番号を管理サーバ（４）に保存させておき、再度同じ２次元コード（２）が送信された際に判定することができるからである。
再度２次元コード（２）が送信された際には、直ちに管理サーバ（４）から一度送信された２次元コード（２）を送信した旨を携帯端末（３）に返信する。
上記した正誤判定手段（４ｂ）を有することにより、２次元コード（２）が再度不正使用されることがない安全性が確保されるシステムとなる。
【００１３】
ポイント処理手段（４Ｂ）は、２次元コード情報受信手段（４Ａ）に於いて受信された２次元コード（２）に保存された情報を所定の規則に従って処理を行う手段である。
このポイント処理手段（４Ｂ）が行う所定の規則は、先ず、情報の送信元である携帯端末（３）を特定（識別）し、次いで、送信された２次元コード（２）からデコードされたポイント等の情報を計算し処理する規則である。
所定の規則は、２次元コード（２）に保存されるポイント情報に従って行われる規則であり、例えば、ポイントが２０ポイント保存される情報であれば、ポイントを２０ポイント所定の場所に保存し、又特定期間中にポイントを保存するとポイントが２倍となる情報が２次元コード（２）に保存されていれば、この期間内に管理サーバ（４）にポイントを送信すると２倍のポイントが保存されるように保存される。
また、ポイント情報に特別に行われる懸賞に参加する資格が付与する情報が保存されていれば、この携帯端末（３）の使用者へこの懸賞への資格を有することを通知すると共にこの懸賞への資格を有する旨が保存される。
このポイント処理手段（４Ｂ）に於いて処理されるポイントは、提供者や商品毎に細分化されて各項目毎にポイントが保存される。例えば、図４で示す如く、Ａ社のお菓子のポイントならＡ社のお菓子のポイントを保存する場所が設けられ、この場所で（ポイント保存手段（４Ｃ）内にアドレスを設け）保存され、Ｂ社のお茶のポイントならＢ社のお茶のポイントを保存する場所が設けられ、この場所で保存される。
【００１４】
ポイント処理手段（４Ｂ）は判定送信手段（４ｃ）を具備させても構わない。
判定送信手段（４ｃ）は、ポイント処理手段（４Ｂ）に於いて処理された情報を判定し、所定条件を満たす情報を送信した携帯端末（３）へ特定情報を送信する手段である。
この判定送信手段（４ｃ）に於ける判定は、携帯端末（３）から送信される２次元コードからデコードされた情報に於いて、予め所定条件を設定しておき、この所定条件を満たす送信を行った携帯端末（３）を選出し、特定の情報を送信する機能を有している。
この予め設定される所定条件は、特に限定されず、管理サーバ（２）の管理者又は後述する提供者サーバ（５）を管理する２次元コード提供者が自由に設定すれば構わない。
設定される所定条件は、特に限定されず、例えばある商品を購入した２５歳以上の男性というように設定すればよい。
この所定条件を満たす携帯端末（３）へ送信する特定情報の内容は、特に限定されず、管理サーバ（４）の管理者又は提供者サーバ（５）の管理者が任意に決定すればよい。
携帯端末（３）へ送信される情報としては、例えば、所定条件を満たす携帯端末（３）へ、新商品等の広告を送信することが考えられる。
【００１５】
ポイント保存手段（４Ｃ）は、ポイント処理手段（４Ｂ）に於いて処理されたポイントを保存する手段である。
このポイント保存手段（４Ｃ）が行うポイントを保存する方法は、ポイント処理手段（４Ｂ）に於いて特定された携帯端末（３）毎に、更には、ポイント処理手段（４Ｃ）に於いて処理された２次元コード（２）に格納されているポイントを提供者や商品やサービス等毎の各項目にポイントを保存する手段である。
ポイント保存手段（４Ｃ）に保存されるポイントが提供者や商品毎の各項目に保存されることによって、この管理システム（１）を使用する使用者に、保存されるポイントが付与されていた商品やサービス等に関する情報を使用者に通知することができる情報通知手段を設けても構わない。
この情報通知手段を設けることによって、この管理システム（１）の使用者に、ポイント保存手段（４Ｃ）に保存される商品やサービス等に関する情報や広告や効果的なポイント蓄積に関する情報を提供することができるからである。
【００１６】
携帯端末要求受信手段（４Ｄ）は、携帯端末（３）から送信される要求を受信する手段である。
携帯端末（３）から送信されるこの要求には、携帯端末（３）の使用者がこの要求を行う時点での管理サーバ（４）に保存されるポイントの蓄積情報を知るための問い合せやポイント交換に必要なポイント情報、ポイント管理システム（１）に参加している参加企業の情報等の通知を促す要求が考えられる。
この要求を利用する方法は、ホームページ上に上記した要求をリストアップし要求毎にアクセスする方法でもよいし、管理サーバ（４）にＪＡＶＡ（登録商標）アプレット等の命令コマンドを送信する方法でもよい。
【００１７】
携帯端末要求処理手段（４Ｅ）は、携帯端末要求受信手段（４Ｄ）に於いて受信された携帯端末（３）からの要求に応じて、現在の携帯端末使用者の管理サーバ（４）に保存されるポイントの蓄積情報やポイント交換に必要なポイント情報、ポイント管理システム（１）に参加している参加企業の情報等を携帯端末（３）へと送信する手段である。
携帯端末（３）から現時点に於けるポイントの蓄積情報に関する問い合わせ等の送信があった際に、この携帯端末使用者のポイントの蓄積情報等の情報を携帯端末（３）へ通知する方法は、特に限定されないが、携帯端末（３）からポイントの蓄積情報等の情報を掲示するホームページにアクセスし、ホームページ上で公開する方法や、携帯端末（３）にポイントの蓄積情報をＥ・メール等で携帯端末（３）へ送信する方法で構わない。
ホームページ上で公開する方法を利用する際には、個人情報等の漏洩を防止するために、ホームページに認証コード等を設けることによって、携帯端末（３）の使用者のみが自らのポイントの蓄積情報を公開するホームページにアクセスできるように設けられることが好ましい。
ポイント管理システム（１）に参加している企業をホームページ上で表示する際には、表示された企業が行っている期間限定で行われるポイントサービス等の特別のポイントサービスの情報を合わせて閲覧できるように設けておくことが好ましい。
企業が行う特別のポイントサービスを閲覧できることによって、この企業が行うポイントサービスを容易に確認することができるからである。
【００１８】
公開手段（４Ｆ）は、２次元コード（２）提供者がポイント交換によって交換することのできる商品やサービス等を、ポイント管理システム（１）の使用者に公開する手段である。
この公開手段（４Ｆ）が有する商品やサービスを閲覧させる方法は、このポイント管理システム（１）の使用者が商品やサービス等を閲覧することができれば特に限定されないが、携帯端末（３）からアクセス可能なホームページを設けて、このホームページに公開し閲覧できるようにする方法が好ましい。
上記したようなホームページを設けることによって、携帯端末（３）使用者は携帯端末（３）から容易にホームページにアクセスできるからである。
公開手段（４Ｆ）に於けるこのホームページは、ポイント管理システム（１）使用者しか閲覧することができないように認証コードを設けても構わない。
この公開手段（４Ｆ）に於いて公開される商品やサービスの表示には、変換するためのポイント数を表示させることが好ましい。
このポイント数を表示することによって、携帯端末（３）使用者は、変換する際の必要なポイントを容易に知ることができるからである。
尚、この公開手段（４Ｆ）で公開される情報は、商品やサービスに必要なポイントを表示するより他に、任意の企業が行うポイントが２倍になる等のポイントサービスを表示させても構わない。
【００１９】
交換可能表示手段（４Ｎ）は、ポイント保存手段（４Ｃ）に保存されるポイント情報に従って、ポイント交換を行うことが可能な商品やサービス等を表示する。
この交換可能表示手段（４Ｎ）が行うポイント交換を行う商品やサービス等を表示する方法は、ポイント保存手段（４Ｃ）に保存されているポイントにアクセスした際に、保存されたポイントからリンクして、ポイント保存手段（４Ｃ）にポイント交換することのできる商品やサービス等を表示する画面を表示させる方法が好ましい。
ポイント交換のできる商品やサービスを表示する画面を設けることによって、本発明使用者は、現在保存しているポイントによってポイント交換のできる商品やサービスを知ることができるからである（図５参照）。
尚、この交換可能表示手段（４Ｎ）が表示する使用者が交換可能な商品やサービス等は、後述する提供品受信手段（４Ｊ）が受信した商品やサービスの情報の中から使用者が現時点でポイントと交換可能な商品やサービス等を適宜選択し表示する。
【００２０】
指定情報受信手段（４Ｇ）は、携帯端末（３）の使用者が、携帯端末（３）から送信される交換可能表示手段（４Ｎ）に於ける商品やサービス等の中から所望する商品やサービスを選択し指定する指定情報を受信する手段である。
この指定情報受信手段（４Ｇ）が受信する指定情報は、携帯端末（３）の使用者が交換可能表示手段（４Ｎ）に於けるホームページ等で表示されるポイントと交換可能な商品やサービスを選択し、ポイントと交換する旨を通知する情報である。
この指定情報を通知する方法は、管理サーバ（４）に通知する方法であれば特に限定されないが、交換可能表示手段（４Ｎ）に於いてホームページ上に商品やサービスを選択すること（図５（ｂ）では、所望する商品やサービス等にリンク先を設けて管理サーバ（４）へ送信する携帯画面の一例を示す）で自動的にポイントと変換する方法が好ましい。
このホームページを利用した方法を用いることによって、携帯端末（３）の使用者は、煩雑な手順を必要とせず、使用者の所望する商品やサービスを選択することができる。
【００２１】
指定処理手段（４Ｈ）は、指定情報受信手段（４Ｇ）に於いて、携帯端末（３）の使用者が所望する商品やサービスを選択し指定情報を受信した後に、この指定情報に従ってポイント保存手段（４Ｃ）に保存されるポイントを処理する手段である。
この指定処理手段（４Ｈ）が行う処理は、ポイント保存手段（４Ｃ）に於いて保存される各項目別のポイントを指定情報によって指定した商品又はサービスと変換する処理である。
例えば、Ａ社のお菓子のポイントを利用して甲社のサービス又は商品と交換を行う場合、この指定処理手段（４Ｈ）によって、Ａ社のお菓子のポイントが甲社の提供するサービス又は商品を変更換算することができる。つまり、乙社に所望する商品が提供されている際には、他社のポイント（Ａ社やＣ社のポイント）を利用して変更することができる（図５参照）。
尚、指定処理手段（４Ｈ）に於いて、使用者の所望する商品やサービスへ変換されたポイント分だけポイント保存手段（４Ｃ）に保存されるポイントが消費される。
これにより、このポイントサービスに参加する提供者（上記するＡ社等）は、自社の独自のポイント交換するための商品やサービスを準備する必要がなくなり、他社が提供するポイント交換のための商品やサービスを利用することができる。
【００２２】
指定受理送信手段（４Ｉ）は、指定処理手段（４Ｈ）に於いて、携帯端末（３）の使用者が所望する商品又はサービスへポイント変換が終了した旨を送信する手段である。
この指定受理送信手段（４Ｉ）が有する送信方法は、特に限定されないが、指定情報を送信した携帯端末（３）へＥ・メールでポイント変換が終了した旨を送信すればよい。
【００２３】
管理サーバ（４）は、提供者サーバ（５）に対して、提供品受信手段（４Ｊ）と、提供者要求受信手段（４Ｋ）と、提供者要求処理手段（４Ｌ）とポイント変更送信手段（４Ｍ）を具備している。
図６は、本発明に係る管理サーバと提供者サーバに関するブロック線図を示す。
【００２４】
提供品受信手段（４Ｊ）は、２次元コード（２）を提供する提供者がポイント変換に於いて変換する商品やサービス（公開手段（４Ｆ）や交換可能表示手段（４Ｎ）に於いて表示する商品やサービス）の情報を管理サーバ（４）に送信した際に受信する手段である。
この提供品受信手段（４Ｊ）に於いて受信された商品やサービスの情報は、管理サーバ（４）によって、提供者を判別し各項目毎（例えば、提供者毎、或いは商品やサービスの分類毎）に公開手段（４Ｆ）上（又は交換可能表示手段（４Ｎ）に於いて適宜選択されて表示される）に於いて公開されるように処理される。この処理は、公開手段（４Ｆ）や交換可能表示手段（４Ｎ）に於いて上述したように商品やサービスの表示と共に変換するために必要なポイント数が表示される（図５参照）。
【００２５】
提供者要求受信手段（４Ｋ）は、提供者サーバ（５）から送信される要求を受信する手段である。
この提供者要求手段（４Ｋ）に於いて受信される要求は、２次元コード（２）が付与された商品やサービスに関する情報を管理サーバ（４）のポイント保存手段（４Ｃ）から選別し、提供者サーバ（５）へ送信を促す命令である。
商品やサービスに関する情報は、特に限定されず、提供者サーバ（５）の提供者が、管理サーバ（４）に保存されている提供者が所望する情報である。例えば、商品に関する購買層や購買量等の商品に関する情報である。
この提供者が所望する情報を引き出すことができる要求の作成方法は、特に限定されず、管理サーバ（４）と提供者サーバ（５）とをＩＰ−ＶＰＮ等の専用回線で接続し、管理サーバ（４）に保存された情報に直接アクセスできるパスワード等を送信し、情報を閲覧できる方法や、提供者が所望する情報を取得するために必要な事項を記入して管理サーバ（３）へ送信する方法が好ましい。
上記した方法を利用することで、情報の漏洩を防止することができるからである。
【００２６】
提供者要求処理手段（４Ｌ）は、提供者サーバ（５）からの要求に応じてポイント情報保存手段（４Ｃ）に於いて保存される情報を処理する手段である。
この提供者要求処理手段（４Ｌ）によって提供者が所望する情報を処理し、提供者サーバ（５）に送信することで、提供者は商品やサービス等の情報を収集することができる。
【００２７】
ポイント変更送信手段（４Ｍ）は、指定処理手段（４Ｈ）に於いて携帯端末（３）の使用者がポイントを変換した際に、指定受理送信手段（４Ｉ）によって携帯端末（３）に送信されると同時に変換される商品又はサービスを提供する提供者サーバ（５）へ携帯端末（３）の使用者が所望する商品又はサービスへポイント変換が終了した旨を送信する手段である。
このポイント変更送信手段（４Ｍ）を具備することによって、提供者側も自社の商品又はサービスがポイント変換されたことがわかることになる。
【００２８】
通信ネットワーク（６）は、携帯端末（３）と、管理サーバ（４）と提供者サーバ（５）を送受信可能に接続する通信手段である。
この通信ネットワーク（６）の構成は、特に限定されず、インターネット等の通信方法や専用回線を使用する通信方法、衛星通信を利用する方法でも構わない。
以上が本発明に係るポイント管理システム（１）の構成である。
【００２９】
本発明に係るポイント管理システム（１）の作用について図面を参照しつつ説明する。
先ず、提供者がポイント管理システム（１）を利用する方法について説明する。
図７は、提供者がポイント管理システムを利用する方法を示すフローチャートである。
提供者は、商品やサービスに２次元コード（２）を付与する（Ｓ１）。
この際、商品やサービスに付与する２次元コード（２）には、識別番号と、商品番号と、認証番号と、ポイントを付与しておく。
尚、この２次元コード（２）の保存する情報として、指定期間内にこの情報を管理サーバ（４）に送信した際に、通常よりもポイントが加算される指定期間を設けるようにしても構わない。
次に、提供者はポイント変換して提供する商品やサービスの情報を提供者サーバ（５）から管理サーバ（４）へ送信する（Ｓ２）。
管理サーバ（４）は、提供品受信手段（４Ｊ）に於いて、商品やサービスの情報を受信し（Ｓ３）、公開手段（４Ｆ）によって商品やサービスの情報をホームページ上に掲載し公開する（Ｓ４）。
この際、既にポイント保存手段（４Ｃ）にポイントを保存している使用者には、交換可能表示手段（４Ｎ）に於いてこのポイントと交換可能な商品やサービス等を表示することができる。
【００３０】
次に、携帯端末（３）の使用者がポイント管理システム（１）を利用する方法を説明する。
図８は、携帯端末使用者がポイント管理システムを利用する方法を示すフローチャートである。
本発明に係るポイント管理システム（１）を利用するにあたって使用者は、管理サーバ（４）へ空のＥ・メールを送信しておくことが好ましい。
空のＥ・メールを管理サーバ（４）へ送信することによって、Ｅ・メールを送信した携帯端末（３）（又はカメラ付き携帯電話器、以下電話器（３）と称する）へ、この電話器（３）を特定できると共にこの電話器（３）専用の管理サーバ（４）上のポイントを保存するアドレスを作成し返送することができるからである。
尚、この際、管理サーバ（４）は電話器（３）専用の管理サーバ（４）上にアドレスを設けた際に、この電話器（３）の使用者の個人情報（氏名、年齢、職業、住所、趣味、家族構成等の個人データ）を登録することが好ましい。
使用者は予め空のＥ・メールを送信する（Ｓ１１）。
管理サーバ（４）は、このメールを受信し、管理サーバ（４）のポイント保存手段（４Ｃ）に空のＥ・メールを送信した電話器（３）専用のポイントを保存するアドレスを作成する（Ｓ１２）。
電話器（３）の使用者は、２次元コード（２）の具備された商品又はサービスを受け、２次元コード（２）を入手する（Ｓ１３）。
この際、電話器（３）に２次元コード（２）をデコードする機能が無ければ、管理サーバ（４）にアクセスし、管理サーバ（４）で保存されている２次元コード（２）をデコードするためのアプリケーションをダウンロードすることで、２次元コード（２）をデコードすることができるようになる（Ｓ１４）。
【００３１】
カメラ付き携帯電話器（３）を使用して２次元コード（２）でデコードし、管理サーバ（４）へ送信する（Ｓ１５）。
管理サーバ（４）は、２次元コード情報受信手段（４Ａ）によって、電話器（３）から送信された２次元コード（２）の情報を受信する（Ｓ１６）。
受信された２次元コード（２）の情報は、先ず、適応判定手段（４ａ）に於いて、このポイント管理システム（１）で使用可否が適応番号を利用して検討される（Ｓ１７）。この際、このポイント管理システム（１）に於いて使用不可であれば、使用不可の旨を送信した電話器（３）へ返送する（Ｓ１８）。
適応判定手段（４ａ）に於いて使用可能と判定された情報は、正誤判定手段（４ｂ）に於いて送信された情報が正しく使用されているか（再度使用されていないか）認証番号を利用して判定される（Ｓ１９）。この際、再度送信された情報であれば、再度送信の旨を送信した電話器（３）へ返送する（Ｓ２０）。
【００３２】
正誤判定手段（４ｂ）によって正しく使用されていると判定された情報は、ポイント処理手段（４Ｂ）によって、所定の規則に従い、各項目毎に細分化して処理される（Ｓ２１）。
ポイント処理手段（４Ｂ）が具備する判定送信手段（４ｃ）に於いて、所定条件を満たす情報を送信した携帯端末（３）へ特定情報を送信する（Ｓ２２）。
電話器（３）は、特定情報を受信する（Ｓ２３）。
ポイント処理手段（４Ｂ）に於いて処理されたポイントは、ポイント保存手段（４Ｃ）に於いて保存される（Ｓ２４）。
電話器（３）使用者が２次元コード（２）を管理サーバ（４）に送信しポイントを貯蓄する毎に上記した工程が繰り返されてポイントが各項目別に蓄積される（図４参照）。
【００３３】
電話器（３）使用者が管理サーバ（４）へ自分のポイントの蓄積情報を問い合わせる方法を説明する。
図９は、ポイントの蓄積情報を問い合わせる際の管理サーバと携帯端末（電話器）の作動を示すフローチャートである。
電話器（３）使用者は、管理サーバ（４）へ現時点に於ける自らが有するポイントの蓄積情報を問い合せるための要求を送信する（Ｓ３１）。
管理サーバ（４）は、携帯端末要求受信手段（４Ｄ）によって、電話器（３）からの要求を受信する（Ｓ３２）。
受信した要求に応じてポイント保存手段（４Ｃ）に於いて保存されているポイントの蓄積情報を電話器（３）の要求に応じて処理する（Ｓ３３）。
管理サーバ（４）は、要求に応じて処理された情報を要求を送信した電話器（３）へ携帯端末要求処理手段（４Ｅ）に於いて送信する（Ｓ３４）。
この際、ポイント蓄積情報は各項目別に表示されている（図４参照）。
電話器（３）は、ポイントの蓄積情報を受信する（Ｓ３５）。
【００３４】
ポイントを商品又はサービスに変換する方法を図面を参照しつつ説明する。
図１０は、ポイントを商品又はサービスに変換する方法を示すフローチャートである。
電話器（３）使用者は、公開手段（４Ｆ）によるホームページにアクセスし、商品やポイントを閲覧する（Ｓ４１）。
この際、本ポイント管理システム（１）の使用者は、この公開手段（４Ｆ）によって、所望する商品やサービスを閲覧することができる（Ｓ４２）。
使用者は、ポイント保存手段（４Ｃ）のポイント交換に利用するポイントにアクセスする（Ｓ４３）。
交換するポイントにアクセスすることで、交換可能表示手段（４Ｎ）によって交換可能な商品やサービス等を電話器の画面上に表示させることができる（Ｓ４４）。
電話器（３）使用者は、交換可能表示手段（４Ｎ）に表示されるポイント交換によって所望する商品又はサービスを選択する（Ｓ４５）。
電話器（３）使用者は、所望する商品又はサービスを選択し、その旨である指定情報を管理サーバ（４）へ送信する（Ｓ４６）。
管理サーバ（４）は、指定情報受信手段（４Ｇ）に於いて電話器（３）からの指定情報を受信する（Ｓ４７）。
指定情報を受信した管理サーバ（４）は、指定情報を指定処理手段（４Ｈ）に於いて処理する（Ｓ４８）。
尚、他社のポイントを変換する際には、一定のレートを設けて、ポイントの変更を行っても構わない。
【００３５】
指定処理手段（４Ｈ）で処理されたポイントの残高は、再度ポイント保存手段（４Ｃ）に於いて各項目別のポイント毎に保存される（Ｓ４９）。
指定処理手段（４Ｈ）で処理された後に、指定受理送信手段（４Ｉ）に於いて、携帯端末（３）の使用者が所望する商品又はサービスへポイント変換が終了した旨を電話器（３）へ送信する（Ｓ５０）。
電話器（３）の使用者は、ポイント交換が終了した旨の通知を受信する（Ｓ５１）。
この指定受理送信手段（４Ｉ）が行われると同時に、ポイント変更送信手段（４Ｍ）に於いて、提供者サーバ（５）へ電話器（３）の使用者が所望する商品又はサービスへポイント変換が終了した旨を送信する（Ｓ５２）。
提供者サーバ（５）の提供者は顧客がポイント交換した旨の通知を受信する（Ｓ５３）。
以上がポイントを商品又はサービスに変更する方法である。
【００３６】
次いで、提供者が商品やサービスに関する顧客データを収集する方法を説明する。図１１は、提供者が顧客情報を収集する方法を示すフローチャートである。
提供者は管理サーバ（４）に提供社サーバ（５）から顧客情報に関する要求を送信する（Ｓ５１）。
管理サーバ（４）は、提供者サーバ（５）から送信される要求を提供者要求処理手段（４Ｌ）に於いて、先ず受信する（Ｓ５２）。
管理サーバ（４）は、要求を受信して、この要求に応じるようにポイント情報保存手段（４Ｃ）に保存されている情報を適宜選択し（Ｓ５３）、提供者サーバ（５）へ返送する（Ｓ５４）。
提供者サーバ（５）は、管理サーバ（４）からの情報を受信する（Ｓ５５）。
上記する方法を行うことによって、提供者は所望する顧客データを収集することができる。
以上が本発明に係るポイント管理システムの作動の説明である。
【００３７】
【発明の効果】
請求項１記載の発明によって、２次元コードに商品やサービス等のポイントを格納させることによって、商品購入者は日常よく使用する携帯端末を使用して容易に商品やサービス等のポイントを貯蓄することができると共に多種多様なポイントサービスを利用することができ、又２次元コード提供者は容易に２次元コードが付与された商品やサービス等の販売状況等の情報を容易に管理することができると共に販売促進の方法として利用することができるポイント管理システムを提供する。又、本発明を利用することによって、２次元コード提供者は、独自のポイント交換のための商品やサービスを準備する必要がなく、他の提供者の商品やサービスを利用することができる。
【００３８】
請求項２記載の発明によって、ポイントを各項目毎に保存することによって、携帯端末使用者が、他社のポイントを利用する際に適宜に選択することができるポイント管理システムを提供することができる。
【００３９】
請求項３記載の発明によって、サーバが２次元コード受信時に２次元コードの種類に応じて、２次元コードを送信した携帯端末へ特定情報を送信することで、利用価値の高いと予想される相手に情報を提供することができるポイント管理システムを提供することができる。
【００４０】
請求項４記載の発明によって、２次元コード情報が送信された際に、本発明のポイント管理システムに使用可否の判定をすることができるので、信頼性の高いポイント管理システムを提供することができる。
【００４１】
請求項５記載の発明によって、一度使用された２次元コードの情報は、再度利用することができないので、セキュリティーの高いポイント管理システムを提供することができる。
【００４２】
請求項６記載の発明によって、２次元コードが識別番号、商品番号、認証番号及びポイント情報を保存することによって、商品を管理することが容易になると共に、情報を検索したり、選出したりすることを容易に行うことができるポイント管理システムを提供することができる。
【００４３】
請求項７記載の発明によって、本発明を利用する使用者が、カメラ付き携帯電話器を使用することによって、特殊な装置を準備する必要がないポイント管理システムを提供することができる。
【００４４】
請求項８記載の発明によって、２次元コードを利用するアプリケーション（ソフトウェア）をダウンロードさせることで、２次元コードを利用することを可能にするので、余計な費用がかからず利便性の面に於いて優れているポイント管理システムを提供することができる。
【００４５】
請求項９記載の発明によって、２次元コードに商品やサービス等のポイントを格納させることによって、商品購入者は日常よく使用する携帯端末を使用して容易に商品やサービス等のポイントを貯蓄することができると共に多種多様なポイントサービスを利用することができ、又２次元コード提供者は容易に２次元コードが付与された商品やサービス等の販売状況等の情報を容易に管理することができると共に販売促進の方法として利用することができるポイント管理システムで使用されるサーバを提供する。
を提供することができる。
【図面の簡単な説明】
【図１】本発明に係る概略構成図を示す。
【図２】本発明に係るシステム図を示す。
【図３】本発明に係る管理サーバと携帯端末に関するブロック線図を示す。
【図４】ポイント保存手段に於けるポイントを保存する状態を示す一実施例である。
【図５】本発明に係る携帯電話に表示される画面の一実施例を示す。
【図６】本発明に係る管理サーバと提供者サーバに関するブロック線図を示す。
【図７】提供者がポイント管理システムを利用する方法を示すフローチャートである。
【図８】携帯端末使用者がポイント管理システムを利用する方法を示すフローチャートである。
【図９】ポイントの蓄積情報を問い合わせる際の管理サーバと携帯端末（電話器）の作動を示すフローチャートである。
【図１０】ポイントを商品又はサービスに変換する方法を示すフローチャートである。
【図１１】提供者が顧客情報を収集する方法を示すフローチャートである。
【符号の説明】
１・・・・・・・ポイント管理システム
２・・・・・・・２次元コード
３・・・・・・・携帯端末（電話器）
４・・・・・・・管理サーバ
４Ａ・・・・・・２次元コード情報受信手段
４ａ・・・・・・適応判定手段
４Ｂ・・・・・・ポイント処理手段
４ｂ・・・・・・正誤判定手段
４Ｃ・・・・・・ポイント保存手段
４ｃ・・・・・・送信判定手段
４Ｄ・・・・・・携帯端末要求受信手段
４Ｅ・・・・・・ポイント状況送信手段
４Ｆ・・・・・・公開手段
４Ｇ・・・・・・指定情報受信手段
４Ｈ・・・・・・指定処理手段
４Ｉ・・・・・・指定受理送信手段
４Ｊ・・・・・・提供品受信手段
４Ｋ・・・・・・提供者要求受信手段
４Ｌ・・・・・・提供者要求処理手段
４Ｍ・・・・・・ポイント変更送信手段
４Ｎ・・・・・・交換可能表示手段
５・・・・・・・提供者サーバ
６・・・・・・・通信ネットワーク
【図１】
2004362273.tif 000003
【図２】
2004362273.tif 000004
【図３】
2004362273.tif 000005
【図４】
2004362273.tif 000006
【図５】
2004362273.tif 000007
【図６】
2004362273.tif 000008
【図７】
2004362273.tif 000009
【図８】
2004362273.tif 000010
【図９】
2004362273.tif 000011
【図１０】
2004362273.tif 000012
【図１１】
2004362273.tif 000013